(57)【要約】【課題】大量の接続番号を有するネットワークシステムにおいても、ユーザが簡単な入力操作により他のクライアントへの接続を可能とすること。【解決手段】クライアントＴ１のユーザは、接続番号「２０００」をクライアントＴ１に入力する（ＳＴ１０１０）。クライアントＴ１は、この接続番号を含むＡＲＱ信号をコールサーバ１００に送信する（ＳＴ１０２０）。コールサーバ１００は、受け取った接続番号に対し「７１２３」を付加し（ＳＴ１０３０）、この接続番号を含むＡＣＦ信号をクライアントＴ１に返送する（ＳＴ１０４０）。完全な接続番号を取得したクライアントＴ１は、この接続番号を用いてクライアントＴ２に対しＳＥＴＵＰ信号を送信する（ＳＴ１０５０）。接続要求を受けたクライアントＴ２は、クライアントＴ１との接続処理を開始する（ＳＴ１０６０）。【選択図】      図２
2005026992.tif 000002
【特許請求の範囲】
【請求項１】
通信端末装置から送信された、前記通信端末装置の通信相手の接続番号または前記接続番号の一部が省略された接続番号を取得する取得手段と、前記取得手段において前記一部が省略された接続番号が取得された場合、この接続番号を補完する補完手段と、前記取得手段によって取得された前記通信端末装置の通信相手の接続番号または前記補完手段によって補完された接続番号のいずれかを用いて前記通信端末装置の呼制御を行う呼制御手段と、を具備することを特徴とする呼制御装置。
【請求項２】
前記補完手段は、前記一部が省略された接続番号に対応して予め設定されている番号を前記一部が省略された接続番号に付加することにより、前記一部が省略された接続番号を補完する、ことを特徴とする請求項１記載の呼制御装置。
【請求項３】
前記補完手段は、前記一部が省略された接続番号および前記通信端末装置の双方に対応して予め設定されている番号を前記一部が省略された接続番号に付加することにより、前記一部が省略された接続番号を補完する、ことを特徴とする請求項１記載の呼制御装置。
【請求項４】
複数の通信端末装置と、前記複数の通信端末装置間の呼制御を行う呼制御装置と、を有する通信システムであって、
前記通信端末装置は、通信相手の接続番号または前記接続番号の一部が省略された接続番号が入力される入力手段と、入力された接続番号を前記呼制御装置に送信する送信手段と、を具備し、
前記呼制御装置は、前記通信端末装置から送信された接続番号を取得する取得手段と、前記取得手段において前記一部が省略された接続番号が取得された場合、この接続番号を補完する補完手段と、前記取得手段によって取得された前記通信端末装置の通信相手の接続番号または前記補完手段によって補完された接続番号のいずれかを用いて前記通信端末装置の呼制御を行う呼制御手段と、を具備する、ことを特徴とする通信システム。
【請求項５】
請求項４記載の通信システムにおいて使用される通信端末装置であって、
通信相手の接続番号または前記接続番号の一部が省略された接続番号が入力される入力手段と、入力された接続番号を前記呼制御装置に送信する送信手段と、を具備することを特徴とする通信端末装置。
【請求項６】
通信端末装置から送信された、前記通信端末装置の通信相手の接続番号または前記接続番号の一部が省略された接続番号を取得する取得ステップと、前記取得ステップにおいて前記一部が省略された接続番号が取得された場合、この接続番号を補完する補完ステップと、前記取得ステップにおいて取得された前記通信端末装置の通信相手の接続番号または前記補完ステップにおいて補完された接続番号のいずれかを用いて前記通信端末装置の呼制御を行う呼制御ステップと、を具備することを特徴とする呼制御方法。
【発明の詳細な説明】
【０００１】
【発明の属する技術分野】
本発明は、ＩＰネットワークにおいて音声通信（ＶｏＩＰ）またはマルチメディア通信を行う呼制御装置および呼制御方法に関する。
【０００２】
【従来の技術】
現在、インターネット、イントラネット、社内ＬＡＮ等のＴＣＰ／ＩＰネットワークを使用して音声データを送受信するＩＰ電話サービスの開発が盛んである。このＩＰ電話サービスは、ＶｏＩＰ（Ｖｏｉｃｅ  ｏｖｅｒ  Ｉｎｔｅｒｎｅｔ  Ｐｒｏｔｏｃｏｌ）という技術を使ってインターネット等を介した音声通話を実現している。ＩＰ電話サービスの標準規格としては、ＩＴＵ−Ｔ勧告のＨ．３２３、ＳＩＰ（Ｓｅｓｓｉｏｎ  Ｉｎｉｔｉａｔｉｏｎ  Ｐｒｏｔｏｃｏｌ）、ＭＥＧＡＣＯ／Ｈ．２４８等がある。
【０００３】
例えばＩＴＵ−Ｔ勧告のＨ．３２３によると、ユーザはＩＰ電話をかける際に、まず通信相手の接続番号を通信端末装置に入力する。この接続番号は各通信端末装置を収容するゲートウェイ装置を介し、ゲートキーパ装置に通知される。ゲートキーパ装置は、通知された接続番号に対応するＩＰアドレスを検索し（アドレス解決）、検索結果を上記のゲートウェイ装置を介しユーザの通信端末装置に通知する。通信相手のＩＰアドレスを取得した通信端末装置は、これを用いて通信相手とＩＰネットワークを介した通信回線を開く（非特許文献１参照）。
【０００４】
【非特許文献１】
ＩＴＵ−Ｔ勧告Ｈ．３２３、ＲＦＣ３２６１等
【０００５】
【発明が解決しようとする課題】
しかしながら、上記のような通信システムにおいては、収容するクライアント（通信端末）数が増加し、ＩＰネットワークが巨大になればなるほど、クライアント間の互いの識別子である接続番号の桁数は多くなる。かかる場合、ＩＰ電話サービスを使用しようとするユーザは、何桁もの接続番号を入力しなければならず、この入力操作は大変煩わしいものとなる。
【０００６】
本発明は、かかる点に鑑みてなされたものであり、大量の接続番号からなる接続番号体系のネットワークシステムにおいても、ユーザが簡単な入力操作により他のクライアントへ接続することが可能となる呼制御装置および呼制御方法を提供することを目的とする。なお、ＩＴＵ−Ｔ勧告のＨ．３２３には、この入力操作を簡易化する方法については何も規定されていない。
【０００７】
【課題を解決するための手段】
本発明は、通信端末装置から送信された、前記通信端末装置の通信相手の接続番号または前記接続番号の一部が省略された接続番号を取得する取得手段と、前記取得手段において前記一部が省略された接続番号が取得された場合、この接続番号を補完する補完手段と、前記取得手段によって取得された前記通信端末装置の通信相手の接続番号または前記補完手段によって補完された接続番号のいずれかを用いて前記通信端末装置の呼制御を行う呼制御手段と、を具備する呼制御装置である。
【０００８】
【発明の実施の形態】
本発明の第１の態様は、通信端末装置から送信された、前記通信端末装置の通信相手の接続番号または前記接続番号の一部が省略された接続番号を取得する取得手段と、前記取得手段において前記一部が省略された接続番号が取得された場合、この接続番号を補完する補完手段と、前記取得手段によって取得された前記通信端末装置の通信相手の接続番号または前記補完手段によって補完された接続番号のいずれかを用いて前記通信端末装置の呼制御を行う呼制御手段と、を具備することを特徴とする呼制御装置である。
【０００９】
本発明によれば、通信端末装置（クライアント）のユーザが、番号の一部が省略され簡略化された接続番号をクライアントに入力しても、呼制御装置（サーバ）がこの接続番号を完全な接続番号に自動的に補完するため、ユーザは接続番号を入力する手間を省力化することができる。
【００１０】
本発明の第２の態様は、上記の構成において、前記補完手段は、前記一部が省略された接続番号に対応して予め設定されている番号を前記一部が省略された接続番号に付加することにより、前記一部が省略された接続番号を補完する、ことを特徴とする呼制御装置である。
【００１１】
本発明によれば、予め設定されている番号を接続番号に付加することにより、自動補完を行うので、自動補完の動作を高速化することができる。
【００１２】
本発明の第３の態様は、上記の構成において、前記補完手段は、前記一部が省略された接続番号および前記通信端末装置の双方に対応して予め設定されている番号を前記一部が省略された接続番号に付加することにより、前記一部が省略された接続番号を補完する、ことを特徴とする呼制御装置である。
【００１３】
本発明によれば、サーバは、接続番号のみならず、この接続番号を発信したクライアントをも考慮して接続番号の自動補完を行うため、自動付加される番号の設定を柔軟に行うことができる。
【００１４】
本発明の第４の態様は、複数の通信端末装置と、前記複数の通信端末装置間の呼制御を行う呼制御装置と、を有する通信システムであって、前記通信端末装置は、通信相手の接続番号または前記接続番号の一部が省略された接続番号が入力される入力手段と、入力された接続番号を前記呼制御装置に送信する送信手段と、を具備し、前記呼制御装置は、前記通信端末装置から送信された接続番号を取得する取得手段と、前記取得手段において前記一部が省略された接続番号が取得された場合、この接続番号を補完する補完手段と、前記取得手段によって取得された前記通信端末装置の通信相手の接続番号または前記補完手段によって補完された接続番号のいずれかを用いて前記通信端末装置の呼制御を行う呼制御手段と、を具備する、ことを特徴とする通信システムである。
【００１５】
本発明によれば、クライアントのユーザが、番号の一部が省略され簡略化された接続番号をクライアントに入力しても、サーバがこの接続番号を完全な接続番号に自動的に補完するため、ユーザは接続番号を入力する手間を省力化することができる。
【００１６】
本発明の第５の態様は、上記の通信システムにおいて使用される通信端末装置であって、通信相手の接続番号または前記接続番号の一部が省略された接続番号が入力される入力手段と、入力された接続番号を前記呼制御装置に送信する送信手段と、を具備することを特徴とする通信端末装置である。
【００１７】
本発明によれば、クライアントのユーザが、番号の一部が省略され簡略化された接続番号をクライアントに入力しても、サーバがこの接続番号を完全な接続番号に自動的に補完するため、ユーザは接続番号を入力する手間を省力化することができる。
【００１８】
本発明の第６の態様は、通信端末装置から送信された、前記通信端末装置の通信相手の接続番号または前記接続番号の一部が省略された接続番号を取得する取得ステップと、前記取得ステップにおいて前記一部が省略された接続番号が取得された場合、この接続番号を補完する補完ステップと、前記取得ステップにおいて取得された前記通信端末装置の通信相手の接続番号または前記補完ステップにおいて補完された接続番号のいずれかを用いて前記通信端末装置の呼制御を行う呼制御ステップと、を具備することを特徴とする呼制御方法である。
【００１９】
本発明によれば、クライアントのユーザが、番号の一部が省略され簡略化された接続番号をクライアントに入力しても、サーバがこの接続番号を完全な接続番号に自動的に補完するため、ユーザは接続番号を入力する手間を省力化することができる。
【００２０】
本発明の骨子は、通信を行うためにクライアントから他のクライアントへ接続要求を行う際に、ユーザは、番号の一部が省略され簡略化された接続番号を入力し、サーバ（呼制御装置）はこの接続番号を正式な（完全な）接続番号に自動的に補完することである。
【００２１】
以下、本発明の実施の形態について、図面を参照して詳細に説明する。
【００２２】
（実施の形態１）
図１は、本発明の実施の形態１に係る通信システムの概要を示す図である。この通信システムは、コールサーバ１００、ルータＲ１、Ｒ２、通信端末装置（クライアント）Ｔ１〜Ｔ４、ＩＰ−ＶＰＮ（Ｖｉｒｔｕａｌ  Ｐｒｉｖａｔｅ  Ｎｅｔｗｏｒｋ）を有する。
【００２３】
この通信システムにおいて、拠点Ａに属する通信端末装置Ｔ１およびＴ２は、拠点Ｂに属する通信端末装置Ｔ３およびＴ４とＩＰ−ＶＰＮを介し通信回線を開くことができる。この通信回線は、ルータＲ１およびＲ２が、ＩＰ−ＶＰＮにおけるルーティング（経路制御）を行うことにより実現される。
【００２４】
拠点Ａに属する通信端末装置の接続番号は、最初の４桁が「７１２３」で始まる。この図では、通信端末装置Ｔ１の接続番号は、「７１２３１０００」であり、通信端末装置Ｔ２の接続番号は「７１２３２０００」である。一方、拠点Ｂに属する通信端末装置の接続番号は、最初の４桁が「７４５６」で始まる。この図では、通信端末装置Ｔ３の接続番号は、「７４５６１０００」であり、通信端末装置Ｔ４の接続番号は「７４５６２０００」である。
【００２５】
コールサーバ１００は、各通信端末装置間の呼制御を行う呼制御装置であると共に、一般的にゲートキーパと呼ばれる装置が行う通信端末装置のＩＰアドレスの管理（アドレス解決等）、通信帯域幅の管理、通信を開始する場合の許可の制御等の処理も行う。
【００２６】
次いで、上記の構成を有する通信システムの呼制御の処理手順について、図２に示すシーケンス図を用いて説明する。
【００２７】
クライアントＴ１のユーザは、同一拠点（拠点Ａ）内のクライアントＴ２に呼接続するために、まず接続番号「２０００」をクライアントＴ１に入力する（ＳＴ１０１０）。クライアントＴ１は、この接続番号（Ｅ．１６４＝２０００）を含むＡＲＱ信号をコールサーバ１００に送信する（ＳＴ１０２０）。ここで、Ｅ．１６４とは、ＩＴＵ−Ｔ勧告のＥ．１６４で規定された１５桁以内の電話番号（国際公衆電気通信番号）のことである。
【００２８】
コールサーバ１００は、受け取った接続番号に対し「７１２３」を自動的に付加し「７１２３２０００」とし（ＳＴ１０３０）、この接続番号（Ｅ．１６４＝７１２３２０００）を含むＡＣＦ信号をクライアントＴ１に返送する（ＳＴ１０４０）。
【００２９】
完全な接続番号を取得したクライアントＴ１は、この接続番号を用いてクライアントＴ２に対しＳＥＴＵＰ信号を送信する（ＳＴ１０５０）。接続要求を受けたクライアントＴ２は、クライアントＴ１との接続処理を開始する（ＳＴ１０６０）。
【００３０】
このように、クライアントＴ１のユーザは、番号の一部が省略され簡略化された接続番号「２０００」を入力するのみでクライアントＴ２と呼接続することができ、８桁もの接続番号を入力する手間が省ける。なお、クライアントＴ３のユーザが同一拠点（拠点Ｂ）内のクライアントＴ４に対し呼接続する場合も、ユーザは、クライアントＴ３に簡略化された接続番号「２０００」を入力するのみで良い。ちなみに、クライアントＴ３のこの呼制御は拠点Ｂに存在するコールサーバ（図示せず）が処理する。
【００３１】
また、拠点Ａ内のクライアントＴ１から他の拠点（ここでは拠点Ｂ）のクライアントＴ４に呼接続する場合、クライアントＴ１のユーザは「７４５６２０００」と入力する。この場合には、簡略化された接続番号を使用することはできない。拠点Ｂ内のクライアントＴ３から拠点Ａ内のクライアントＴ２に呼接続する場合も同様で、簡略化された接続番号を使用することはできない。
【００３２】
以上の呼制御処理において、重要な役割を果たしているのはコールサーバ１００である。そこで、コールサーバ１００の構成および動作について、以下詳細に説明する。
【００３３】
図３は、コールサーバ１００の主要な構成を示すブロック図である。
【００３４】
コールサーバ１００は、クライアント間の呼制御処理を行う呼制御部１０１と、Ｈ．３２３またはＳＩＰで規定されたプロトコルの送受信処理を行うＨ．３２３／ＳＩＰプロトコル処理部１０２と、ソケットＩＦ部１０３と、ＴＣＰ／ＩＰのプロトコルの送受信処理を行うＴＣＰ／ＩＰ処理部１０４と、ハードウェア１０６をコントロールするハードウェア・アダプテーション部１０５と、ハードウェア１０６と、イーサネット（Ｒ）との接続インターフェースであるイーサネット（Ｒ）接続部１０７とを有する。
【００３５】
ここで、Ｈ．３２３／ＳＩＰプロトコル処理部１０２は、ＯＳＩ（Ｏｐｅｎ  Ｓｙｓｔｅｍ  Ｉｎｔｅｒｃｏｎｎｅｃｔｉｏｎ）参照モデルのセッション層に相当する。また、ソケットＩＦ部１０３およびＴＣＰ／ＩＰ処理部１０４は、ＯＳＩ参照モデルのネットワーク層／トランスポート層に、ハードウェア・アダプテーション部１０５、ハードウェア１０６、およびイーサネット（Ｒ）接続部１０７は、ＯＳＩ参照モデルの物理層／データリンク層に相当する。
【００３６】
そして、呼制御部１０１は、自動付加番号パターン設定部１１１と、自動付加番号パターン記憶部１１２と、接続番号チェック・編集部１１３と、接続番号検出部１１４と、接続番号通知部１１５とを有する。
【００３７】
自動付加番号パターン設定部１１１は、コールサーバ１００が接続番号に自動的に付加する番号（以下、自動付加番号という）のパターンを設定するためのものである。これは、ユーザが手入力によりパターンを設定できるようなインターフェースを有していても良いし、他の装置または記憶媒体に接続され、この装置または記憶媒体から自動付加番号のパターンに関する情報を入手することにより設定するようなものでも良い。
【００３８】
自動付加番号パターン記憶部１１２は、自動付加番号パターン設定部１１１により設定された自動付加番号パターンを記憶するものである。接続番号チェック・編集部１１３からの要求に応じて、記憶された自動付加番号パターンを出力する。
【００３９】
接続番号チェック・編集部１１３は、接続番号検出部１１４によって検出された接続番号を自動付加番号パターン記憶部１１２に記憶された自動付加番号パターンを用いてチェックし、必要な場合には接続番号の編集（自動補完）を行い、接続番号通知部１１５に出力する。
【００４０】
接続番号検出部１１４は、クライアントからイーサネット（Ｒ）を介し送信された接続番号をＨ．３２３／ＳＩＰプロトコル処理部１０２の出力から検出し、接続番号チェック・編集部１１３に出力する。
【００４１】
接続番号通知部１１５は、接続番号チェック・編集部１１３から出力された接続番号をＨ．３２３／ＳＩＰプロトコル処理部１０２に出力する。
【００４２】
なお、呼制御部１０１は上記以外の機能
（構成）も有しているが、説明が煩雑になるため、ここではそれらの説明を省略する。
【００４３】
次いで、上記構成を有するコールサーバ１００の動作について、図４に示すフロー図を用いて説明する。
【００４４】
まず、接続番号検出部１１４は、クライアントからＡＲＱ信号を受け取り、この信号に含まれるＥ．１６４で指定された接続先の接続番号を取得する（ＳＴ２０１０）。接続番号チェック・編集部１１３は、検出された接続番号を自動付加番号パターン記憶部１１２に記憶されている自動付加番号パターンと比較する（ＳＴ２０２０）。
【００４５】
図５は、自動付加番号パターン記憶部１１２に記憶されている自動付加番号パターン（設定テーブル）の一例を示した図である。このテーブルには、接続先の接続番号の先頭番号（先頭の１桁の数字）に対応して、自動付加番号がそれぞれ設定されている。
【００４６】
接続番号チェック・編集部１１３は、上記のテーブルに自動付加される番号が設定されている場合は（ＳＴ２０３０）、この設定に従い自動付加番号を接続番号に自動付加する（ＳＴ２０４０）。例えば、接続先の接続番号が「２０００」であった場合、先頭番号は「２」であるので、自動付加番号は「７１２３」が設定されているので、接続番号チェック・編集部１１３は、「２０００」に「７１２３」を付加する。
【００４７】
また、接続番号チェック・編集部１１３は、上記のテーブルに自動付加される番号が設定されていない場合（ＳＴ２０３０）、接続番号の編集を行わない（ＳＴ２０５０）。例えば、接続先の接続番号が「１０００」であった場合、先頭番号は「１」であるので、自動付加番号は設定されていないので、接続番号の編集を行わない。
【００４８】
接続番号通知部１１５は、接続番号チェック・編集部１１３から出力された接続番号をＡＣＦ信号においてＥ．１６４として指定し、クライアントに通知する（ＳＴ２０６０）。
【００４９】
このように、本実施の形態によれば、クライアントのユーザが、番号の一部が省略され簡略化された接続番号をクライアントに入力しても、サーバ（呼制御装置）がこの接続番号を完全な接続番号に自動的に補完するため、ユーザは接続番号を入力する手間を省力化することができる。
【００５０】
なお、ここでは、サーバが簡略化された接続番号の先頭の１桁を基に自動付加する番号を判断する場合を例にとって説明したが、判断の基準となる接続番号の先頭の桁数は１桁でなくても良い。
【００５１】
図６は、自動付加番号パターン記憶部１１２に記憶されている自動付加番号パターン（設定テーブル）の他のバリエーションを示した図である。
【００５２】
このテーブルには、自動付加する番号を判断する際の基準となる先頭の桁数が３桁に設定されており、例えば、「２０００」と入力された場合、先頭の３桁は「２００」であるので、付加される自動付加番号は「７１２３」となる。一方、例えば、「２３４５」と入力された場合、先頭の３桁は「２３４」であるので、自動付加番号は付加されないこととなる。
【００５３】
このように、判断基準となる先頭の桁数を増やすことにより、自動付加番号のバリエーション数を増やすことができる。
【００５４】
（実施の形態２）
図７は、本発明の実施の形態２に係るコールサーバ（呼制御装置）１００ａの主要な構成を示すブロック図である。なお、このコールサーバ１００ａは、図３に示したコールサーバ１００と同様の基本的構成を有しており、同一の構成要素には同一の符号を付し、その説明を省略する。また、符号にａが付されている場合は、図３に示した構成と同様の基本的構成を有しているが、一部の構成または動作が異なることを意味している。
【００５５】
本実施の形態の特徴は、発信クライアント／接続番号検出部２０１という新規な構成を有し、接続番号チェック・編集部１１３ａは、接続番号のみならず、発信クライアント／接続番号検出部２０１によって検出された発信クライアントをも考慮して、接続番号の自動補完を行うことである。
【００５６】
図８は、自動付加番号パターン記憶部１１２ａに記憶されている自動付加番号パターン（設定テーブル）の一例を示した図である。実施の形態１と異なり、本実施の形態ではｎ面のテーブルを有している。各テーブルは、発信クライアントごとにそれぞれ対応して、すなわち、各発信クライアント用のテーブルが設けられている。
【００５７】
接続番号チェック・編集部１１３ａは、発信クライアント／接続番号検出部２０１によって検出された発信クライアントに基づいて、まず、自動付加番号の選別にあたり、どの発信クライアント用の設定テーブルを使用するかを決定する。そして次に、決定されたテーブル中にユーザが入力した接続番号（の先頭番号）と対応した自動付加番号が設定されているか否か確認し、設定されている場合はこの設定に従い自動付加番号を付加する。
【００５８】
なお、実施の形態１と同様に、自動付加番号パターン記憶部１１２ａに記憶されている自動付加番号パターン（設定テーブル）は、図９に示したようなものであっても良い。このテーブルでは、自動付加する番号を判断する際の基準となる先頭の桁数が３桁に設定されている。
【００５９】
図１０は、上記構成を有するコールサーバ１００ａの動作手順を説明するためのフロー図である。なお、このフロー図は、図４に示したフロー図と基本的に同様の手順からなっており、同一のステップには同一の符号を付し、その説明を省略する。
【００６０】
ＳＴ２０１０において、接続先の接続番号を取得した後、発信クライアント／接続番号検出部２０１は、Ｈ．３２３／ＳＩＰプロトコル処理部１０２の出力信号から、どのクライアントが呼接続を要求してきたかを検出し（ＳＴ３０１０）、このクライアント（発信クライアント）を示す信号を接続番号チェック・編集部１１３ａに出力する。
【００６１】
接続番号チェック・編集部１１３ａは、発信クライアント／接続番号検出部２０１から出力された発信クライアントに基づいて、自動付加番号パターン記憶部１１２ａに記憶されている発信クライアント用の自動付加番号パターン設定テーブルから、どの設定テーブルを使用すれば良いかを決定する（ＳＴ３０２０）。
【００６２】
そして、ユーザが入力した接続先の接続番号のうちの先頭数桁の番号（比較対象番号）とテーブルに設定されている内容とを比較する（ＳＴ３０３０）。以後の処理は、図４と全く同じである。
【００６３】
次いで、本実施の形態の効果について以下説明する。
【００６４】
通信ネットワークにおいて、クライアントが有するある特定の性質に基づいて、これらのクライアントをグルーピングすることが良く行われている。例えば、固定電話サービスでは、地域ごとにある程度の数のクライアントをグルーピングしている。本実施の形態では、このような場合に、同じグループ内であっても、クライアントによって自動付加番号のパターンを変えることができる。すなわち、互いに近接した２つのクライアントが共に「２０００」と入力しても、付加される自動付加番号は異なったものとすることができる。
【００６５】
また、固定電話サービスでは、地域ごとにクライアントをグルーピングした後、グループ内のクライアントには、一部が共通した電話番号を割り当てる番号計画を行っているのが通常である。そこで、本実施の形態では、このようなサービスにおいて、同じグループにグルーピングされた複数のクライアントに対しては、共通の自動付加番号パターンを設定するようにしても良い。一方、異なるグループに属するクライアントに対しては、異なる自動付加番号パターンを設定する。これにより、同じコールサーバが管理する同じ拠点内であっても、グループによって異なる自動付加番号パターンが使用されるので、１つの自動付加番号パターンが対象とするクライアント数を減らすことができる。すなわち、自動付加番号パターン自体が小さくなる。これにより、ユーザがクライアントに入力する接続番号の桁数をさらに減少させることができる。
【００６６】
このように、本実施の形態によれば、サーバ（呼制御装置）は、接続番号のみならず、この接続番号を発信したクライアントをも考慮して接続番号の自動補完を行うため、自動付加される番号の設定を柔軟に行うことができる。
【００６７】
本発明に係る呼制御装置は、呼制御を行うゲートキーパ装置、プロキシサーバ、およびリダイレクトサーバに搭載することも可能であり、これにより上記と同様の作用効果を有するゲートキーパ装置、プロキシサーバ、およびリダイレクトサーバを提供することができる。
【００６８】
また、本発明に係る呼制御装置は、ＩＰ電話サービス等の音声通信だけに限らず、ＩＰネットワークを用いてマルチメディア通信を行う通信システムにおいても利用可能である。
【００６９】
なお、ここでは、Ｈ．３２３のプロトコルを使用するシステムを例にとって説明したため、接続番号としてＥ．１６４アドレスが使用されていたが、本発明は、ＳＩＰプロトコルを使用するシステムにおいても適用可能である。かかる場合、接続番号としては、ＳＩＰのＵＲＩ（Ｕｎｉｆｏｒｍ  Ｒｅｓｏｕｒｃｅ  Ｉｄｅｎｔｉｆｉｅｒ）が使用される。
【００７０】
また、ここでは、本発明をハードウェアで構成する場合を例にとって説明したが、ソフトウェアで実現することも可能である。
【００７１】
【発明の効果】
以上説明したように、本発明によれば、クライアントのユーザが、番号の一部が省略され簡略化された接続番号をクライアントに入力しても、サーバがこの接続番号を完全な接続番号に自動的に補完するため、ユーザは接続番号を入力する手間を省力化することができる。
【図面の簡単な説明】
【図１】本発明の実施の形態１に係る通信システムの概要を示す図
【図２】本発明の実施の形態１に係る通信システムの呼制御の処理手順について示すシーケンス図
【図３】本発明の実施の形態１に係るコールサーバの主要な構成を示すブロック図
【図４】本発明の実施の形態１に係るコールサーバの動作について示すフロー図
【図５】本発明の実施の形態１に係る自動付加番号パターンの一例を示した図
【図６】本発明の実施の形態１に係る自動付加番号パターンの他のバリエーションを示した図
【図７】本発明の実施の形態２に係るコールサーバの主要な構成を示すブロック図
【図８】本発明の実施の形態２に係る自動付加番号パターンの一例を示した図
【図９】本発明の実施の形態２に係る自動付加番号パターンの他のバリエーションを示した図
【図１０】本発明の実施の形態２に係るコールサーバの動作手順を説明するためのフロー図
【符号の説明】
１００  コールサーバ
１０１  呼制御部
１１１  自動付加番号パターン設定部
１１２  自動付加番号パターン記憶部
１１３  接続番号チェック・編集部
１１４  接続番号検出部
１１５  接続番号通知部
２０１  発信クライアント／接続番号検出部
【図１】
2005026992.tif 000003
【図２】
2005026992.tif 000004
【図３】
2005026992.tif 000005
【図４】
2005026992.tif 000006
【図５】
2005026992.tif 000007
【図６】
2005026992.tif 000008
【図７】
2005026992.tif 000009
【図８】
2005026992.tif 000010
【図９】
2005026992.tif 000011
【図１０】
2005026992.tif 000012